(57)【要約】【課題】防火性の向上を図るとともに、施工性及び経済性にも優れた防火措置構造を提供する。【解決手段】長尺体２が貫通する区画貫通部３を有する防火区画体１の一方の面上に防火区画体１の区画貫通部３を覆うようにして遮蔽板４が設置される。遮蔽板４は、長尺体２の外周よりも大きな開口部を有する。また、遮蔽板４と長尺体２の間に生じる隙間を熱膨張性充填材５を詰め込むことにより閉塞する。【選択図】図１
2005320724.tif 000002
【特許請求の範囲】
【請求項１】
複数または単数の長尺体が貫通する防火区画体の開口部を遮蔽する防火措置構造において、
前記防火区画体の一方の面上または前記防火区画体の開口部内に当該防火区画体の開口部を覆うようにして設置される、前記各長尺体の外周よりも大きな開口部を有する第１の遮蔽板と、
前記第１の遮蔽板と前記長尺体の間または前記長尺体間に生じる隙間に詰め込まれた熱膨張性充填材と、
を有することを特徴とする防火措置構造。
【請求項２】
前記防火区画体の他方の面上または前記防火区画体の開口部内に当該防火区画体の開口部を覆うように設置された、前記各長尺体の外周よりも大きな開口部を有する第２の遮蔽板と、
前記第２の遮蔽板と前記長尺体の間または前記長尺体間に生じる隙間に詰め込まれた熱膨張性充填材と、
を更に有することを特徴とする請求項１に記載の防火措置構造。
【請求項３】
前記防火区画体と前記第１の遮蔽板の間または前記防火区画体の開口部内に設置される、前記各長尺体の外周よりも大きく、前記第１の遮蔽板の開口部よりも小さな開口部を有する第３の遮蔽板と、
を更に有することを特徴とする請求項１又は２に記載の防火措置構造。
【請求項４】
前記第１の遮蔽板と前記第３の遮蔽板が一体成形されていることを特徴とする請求項３に記載の防火措置構造。
【請求項５】
前記第１の遮蔽板が複数枚の遮蔽板を重ね合わせることにより構成されていることを特徴とする請求項１から３のいずれかの項に記載の防火措置構造。
【発明の詳細な説明】
【技術分野】
【０００１】
本発明は、ケーブルや配管などの可燃性長尺体やケーブルラックなどの不燃性長尺体が建築物の防火区画体（壁や床など）を貫通する部分の防火構造に関する。
【背景技術】
【０００２】
図１０は、従来における防火措置構造を示す断面図である。防火区画体１には、開口幅Ｄ１の区画貫通部３が開口されている。防火区画体１の一方の面上には、区画貫通部３の開口を覆うようにして遮蔽板４ｄが設けられており、防火区画体１の他方の面上にも、区画貫通部３の開口を覆うようにして遮蔽板４ｅが設けられている。
【０００３】
遮蔽板４ｄ及び４ｅには、長尺体２の積重ね高さＤ３とほぼ同じ大きさを有する開口幅Ｄ２の開口部が形成されている。防火区画体１の区画貫通部３と、遮蔽板４ｄ及び４ｅの開口部を貫通して、防火区画体１に面する両側の領域を結ぶための長尺体２が備え付けられる。遮蔽板４ｄ及び４ｅに挟まれた防火区画体１の区画貫通部３の領域内には、その隙間を塞ぐための熱膨張性充填材５などが詰め込まれている。
【０００４】
このような構造にすることにより、火災などによって長尺体２が燃焼等して防火区画体１の区画貫通部３と、長尺体２の間に隙間が生じたとしても、火災による熱によって熱膨張性充填材５が膨張してその隙間を塞ぐことができる。よって、防火区画体１に面する一方の領域で生じた火災による火炎が、防火区画体１に面する他方の領域にまで拡散することを防ぐことができる。
【０００５】
しかし、上述した防火措置構造は、遮蔽板４ｄ及び４ｅに挟まれた防火区画体１の区画貫通部３の領域に、高価な熱膨張性充填材５を詰め込む必要があるため、コストが高くなるという問題があった。また、遮蔽板４ｄ及び４ｅに挟まれた防火区画体１の区画貫通部３の領域に熱膨張性充填材５を詰め込む工程を設ける必要があるため、施工する際に時間及び労力がかかるという問題もあった。なお、この他にも従来の防火措置構造として特許文献１に記載されているものが知られている。
【特許文献１】特開２００２−３２５３４０号公報
【発明の開示】
【発明が解決しようとする課題】
【０００６】
本発明は上記事情を考慮してなされたもので、その目的は、防火性の向上を図るとともに、施工性及び経済性にも優れた防火措置構造を提供することにある。
【課題を解決するための手段】
【０００７】
上記目的を達成するために、請求項１に記載の発明は、複数または単数の長尺体が貫通する防火区画体の開口部を遮蔽する防火措置構造において、前記防火区画体の一方の面上または前記防火区画体の開口部内に当該防火区画体の開口部を覆うようにして設置される、前記各長尺体の外周よりも大きな開口部を有する第１の遮蔽板と、前記第１の遮蔽板と前記長尺体の間または前記長尺体間に生じる隙間に詰め込まれた熱膨張性充填材と、を有することを特徴とする。
【０００８】
また、請求項２に記載の発明は、前記防火区画体の他方の面上または前記防火区画体の開口部内に当該防火区画体の開口部を覆うように設置された、前記各長尺体の外周よりも大きな開口部を有する第２の遮蔽板と、前記第２の遮蔽板と前記長尺体の間または前記長尺体間に生じる隙間に詰め込まれた熱膨張性充填材と、を更に有することを特徴とする。
【０００９】
また、請求項３に記載の発明は、前記防火区画体と前記第１の遮蔽板の間または前記防火区画体の開口部内に設置される、前記各長尺体の外周よりも大きく、前記第１の遮蔽板の開口部よりも小さな開口部を有する第３の遮蔽板と、を更に有することを特徴とする。
【００１０】
また、請求項４に記載の発明は、前記第１の遮蔽板と前記第３の遮蔽板が一体成形されていることを特徴とする。
【００１１】
また、請求項５に記載の発明は、前記第１の遮蔽板が複数枚の遮蔽板を重ね合わせることにより構成されていることを特徴とする。
【発明の効果】
【００１２】
請求項１に記載の発明によれば、防火区画体の区画貫通部の全面に熱膨張性充填材を詰め込む必要がなく、遮蔽板と長尺体の間または長尺体間に生じている隙間だけを熱膨張性充填材によって閉塞すればよい。よって、使用する熱膨張性充填材の量を大幅に減らせるため、防火性に優れるとともに、施工性及び経済性にも優れた防火措置構造を提供することができる。
【００１３】
また、請求項２に記載の発明によれば、防火区画体の両側にそれぞれ遮蔽板を設けて、遮蔽板と長尺体の間または長尺体間に生じている隙間だけを熱膨張性充填材によって閉塞する。よって、従来の防火措置構造と比べて、防火性をより向上させることができるとともに、使用する熱膨張性充填材の量を大幅に減らせるため、施工性及び経済性にも優れた防火措置構造を提供することができる。
【００１４】
また、請求項３又は４に記載の発明によれば、熱膨張性充填材を遮蔽板と長尺体の間に生じている隙間に詰め込む際にストッパとして働く構造を設けている。よって、熱膨張性充填材の落下を防止することができるため、施工性及び経済性に優れるとともに、より安定した防火措置構造を提供することができる。
【発明を実施するための最良の形態】
【００１５】
図１は、本発明の第１の実施の形態に係る防火措置構造を示す断面図の一例である。第１の実施の形態に係る防火措置構造は、防火区画体１、長尺体２、遮蔽板４、熱膨張性充填材５を備えている。
【００１６】
防火区画体１には、長尺体２を通すために使用される開口幅Ｄ１の区画貫通部３が開口されている。（区画貫通部３の形状は、長方形、正方形、円形など様々な形状のものを用いることができる。）防火区画体１は、建築物の床、壁、間仕切りなどの防火区画を形成するものである。
【００１７】
長尺体２は、情報のやりとりや電力の供給のために使われる情報用・電力用のケーブル、水道の配管又は、ケーブルラックなどからなるものである。防火区画体１の一方の面上には、区画貫通部３の開口を覆うようにして遮蔽板４が、ボルト（図示省略）などによって防火区画体１に固定されている。（本実施形態では、遮蔽板４が防火区画体１の一方の面上に備え付けられる場合を説明しているが、遮蔽板４を防火区画体１の区画貫通部３内に備え付けて、区画貫通部３を覆う構造としても構わない。また、本実施形態では、遮蔽板４が１枚の場合について説明しているが、遮蔽板を複数枚重ね合わせることにより遮蔽板４を構成しても構わない。）
【００１８】
遮蔽板４には長尺体２を通すための開口幅Ｄ２の開口部が形成されている。（遮蔽板４の開口部の形状は、長方形、正方形、円形など様々な形状のものを用いることができる。）遮蔽板４の開口部の開口幅Ｄ２は、長尺体２の積重ね高さＤ３よりも大きくなるように形成されている。遮蔽板４の材質としては、例えば、不燃材である繊維混入けい酸カルシウムなどが用いられる。
【００１９】
防火区画体１の区画貫通部３と遮蔽板４の開口部を貫通して、防火区画体１に面する両側の領域を結ぶための長尺体２が備え付けられる。遮蔽板４の開口部と長尺体２の外周との間には隙間が生じる。
【００２０】
そこで、例えば方形状に形成された熱膨張性充填材５の部材を、遮蔽板４の開口部と長尺体２の外周の間または長尺体間に生じている隙間に詰め込んで充填することにより閉塞する。（熱膨張性充填材５の形状は、方形状に限定されるものではなく円柱形や星形など、その他の形状であっても構わない。また、粘土状の熱膨張性充填材５を遮蔽板４の開口部と長尺体２の外周の間または長尺体２間の隙間に埋め込むようにしても構わない。）
熱膨張性充填材５の材質としては、例えば、膨張性黒鉛などが用いられる。
【００２１】
防火区画体１に上記のような防火措置構造（図１参照）を設けることにより、防火区画体１に面した一方の領域で火災が発生した場合に、長尺体２が火炎により燃焼や溶融して、遮蔽板４の開口部と長尺体２の間に隙間が生じても、熱膨張性充填材５が火災による熱により膨張してその隙間を塞ぐことができる。よって、防火区画体１に面した一方の領域で発生した火災によって発生した火炎が、防火区画体１に面した他方の領域に拡散して延焼することを防止することができる。
【００２２】
従来の防火措置構造（図１０参照）では、防火区画体１と長尺体２の間の区画貫通部３に熱膨張性充填材５を詰め込んでいたため、多量の熱膨張性充填材５を必要としていた。第１の実施の形態に係る防火措置構造（図１参照）によれば、コストが高い熱膨張性充填材５を、遮蔽板４の開口部と長尺体２の外周の間または長尺体間の隙間に充填すればよい。よって、防火性に優れるとともに、経済的に安価な防火措置構造を提供することができる。また、防火区画体１に面した一方の領域にだけ遮蔽板４を取り付けて防火措置構造を構築できるため、施工が容易な防火措置構造を提供することができる。
【００２３】
本発明の第１の実施の形態（図１）による防火措置構造は、図２のようにして用いることもできる。すなわち、図１の防火措置構造において、長尺体２の他に、防火区画体１の区画貫通部３及び遮蔽板４の開口部を貫通する複数本又は単数本からなる長尺体２ａを更に設置することもできる。長尺体２、長尺体２ａ、遮蔽板４の間に生じる隙間は、熱膨張性充填材５が充填されることにより閉塞される。
【００２４】
また、本発明の第１の実施の形態（図１）による防火措置構造は、図３のようにして用いることもできる。すなわち、図１の防火措置構造において、遮蔽板４に長尺体２が貫通する開口幅がＤ２の開口部とは別に、開口幅Ｄ２ａの開口部を設けて、複数本又は単数本からなる積重ね高さＤ３ａの長尺体２ａを貫通させることもできる。長尺体２ａと遮蔽板４の間に生じる隙間は、熱膨張性充填材５が充填されることにより閉塞される。
【００２５】
図４は、本発明の第２の実施の形態に係る防火措置構造を示す断面図の一例である。第２の実施の形態において、第１の実施の形態（図１参照）と同じ構成を有する部分については、同一の符号を付して説明を省略する。
【００２６】
防火区画体１には、長尺体２を通すために使用される開口幅Ｄ１の区画貫通部３が開口されている。防火区画体１の一方の面上には、区画貫通部３の開口を覆うようにして遮蔽板４ａがボルト（図示省略）などによって防火区画体１に固定されている。また、防火区画体１の他方の面上には、区画貫通部３の開口を覆うようにして遮蔽板４ｂがボルト（図示省略）などによって防火区画体１に固定されている。
【００２７】
遮蔽板４ａ及び４ｂには長尺体２を通すための開口幅Ｄ２の開口部が形成されている。遮蔽板４ａ及び４ｂの開口部の開口幅Ｄ２は、長尺体２の積重ね高さＤ３よりも大きくなるように形成されている。２枚の遮蔽板４ａ及び４ｂで挟み込まれた領域である防火区画体１の区画貫通部３は空洞になっている。
【００２８】
防火区画体１の区画貫通部３と、遮蔽板４ａ及び４ｂの開口部を貫通して、防火区画体１に面する両側の領域を結ぶための長尺体２が備え付けられる。遮蔽板４ａ及び４ｂの開口部と長尺体２の外周との間には隙間が生じる。
【００２９】
そこで、例えば方形状に形成された熱膨張性充填材５の部材を、遮蔽板４ａ及び４ｂの開口部と長尺体２の外周の間または長尺体間に生じている隙間に詰め込んで充填することにより閉塞する。
【００３０】
防火区画体１に上記のような防火措置構造（図４参照）を設けることにより、防火区画体１に面した一方の領域で火災が発生した場合に、長尺体２が火炎により燃焼や溶融して、遮蔽板４ａ及び４ｂの開口部と長尺体２の間に隙間が生じても、熱膨張性充填材５が火災による熱により膨張してその隙間を塞ぐことができる。よって、防火区画体１に面した一方の領域で発生した火災によって発生した火炎が、防火区画体１に面した他方の領域に拡散して延焼することを防止することができる。
【００３１】
第２の実施の形態に係る防火措置構造（図４参照）によれば、コストが高い熱膨張性充填材５を、遮蔽板４ａ及び４ｂの開口部と長尺体２の外周の間または長尺体間の隙間に充填すればよい。遮蔽板４ａと遮蔽板４ｂに挟まれた領域である防火区画体１の区画貫通部３の領域は空洞のまま保たれている。
【００３２】
よって、遮蔽板４ａ及び４ｂに挟まれた防火区画体１の区画貫通部３に熱膨張性充填材５を密に詰め込む従来の防火措置構造（図１０参照）に比べて、高価な熱膨張性充填材５の使用量を大幅に削減することができる。よって、経済的に安価な防火措置構造を提供することができる。また、防火区画体１の一方の面上に遮蔽板４ａを設置するだけでなく、他方の面上にも遮蔽板４ｂを設置しているため、より防火性能が優れた防火措置構造を提供することができる。
【００３３】
本発明の第２の実施の形態（図４）による防火措置構造は、図５のようにして用いることもできる。すなわち、図４の防火措置構造において、長尺体２の他に、防火区画体１の区画貫通部３及び遮蔽板４ａ及び４ｂの開口部を貫通する複数本又は単数本からなる長尺体２ａを更に設置することもできる。長尺体２、長尺体２ａ、遮蔽板４ａ、４ｂの間に生じる隙間は、熱膨張性充填材５が充填されることにより閉塞される。
【００３４】
また、本発明の第２の実施の形態（図４）による防火措置構造は、図６のようにして用いることもできる。すなわち、図４の防火措置構造において、遮蔽板４ａ及び４ｂに長尺体２が貫通する開口幅がＤ２の開口部とは別に、開口幅がＤ２ａの開口部を設けて、複数本又は単数本からなる積重ね高さＤ３ａの長尺体２ａを貫通させることもできる。長尺体２ａと遮蔽板４ａ、４ｂの間に生じる隙間は、熱膨張性充填材５が充填されることにより閉塞される。
【００３５】
図７は、本発明の第３の実施の形態に係る防火措置構造を示す断面図の一例である。第３の実施の形態において、第１の実施の形態（図１参照）と同じ構成を有する部分については、同一の符号を付して説明を省略する。
【００３６】
防火区画体１には、長尺体２を通すために使用される開口幅Ｄ１の区画貫通部３が開口されている。防火区画体１の一方の面上には、区画貫通部３の開口を覆うようにして遮蔽板４が設置される。しかし、第１の実施の形態（図１参照）とは異なり、防火区画体１と遮蔽板４との間には、更にもう一枚、遮蔽板４ｃが設置された構造になっている。遮蔽板４及び４ｃはボルト（図示省略）などによって防火区画体１に固定されている。（本実施形態では遮蔽板４ｃが防火区画体１の面上に設置されている場合を説明しているが、防火区画体１の区画貫通部３内に金具等を用いて固定するようにしても構わない。）
【００３７】
遮蔽板４には長尺体２を通すための開口幅Ｄ２の開口部が形成されている。遮蔽板４の開口部の開口幅Ｄ２は、長尺体２の積重ね高さＤ３よりも大きくなるように形成されている。
【００３８】
一方、遮蔽板４ｃにも長尺体２を通すための開口幅Ｄ４の開口部が形成されている。遮蔽板４ｃの開口部の開口幅Ｄ４は、遮蔽板４の開口部の開口幅Ｄ２よりも更に小さく、かつ、長尺体２の積重ね高さＤ３以上の大きさになるように形成されている。遮蔽板４ｃの材質としては、例えば、遮蔽板４の材質と同じ繊維混入けい酸カルシウムなどが用いられる。
【００３９】
防火区画体１の区画貫通部３と、遮蔽板４及び４ｃの開口部を貫通して、防火区画体１に面する両側の領域を結ぶための長尺体２が備え付けられる。遮蔽板４の開口部と長尺体２の外周との間には隙間が生じる。そこで、例えば方形状に形成された熱膨張性充填材５の部材を、遮蔽板４の開口部と長尺体２の外周の間に生じている隙間に詰め込んで充填することにより閉塞する。
【００４０】
遮蔽板４ｃの開口部の開口幅Ｄ４は、遮蔽板４の開口部の開口幅Ｄ２よりも小さくなるように形成されているため、遮蔽板４ｃがストッパとしての機能を果たす。すなわち、例えば方形状の熱膨張性充填材５を、遮蔽板４の開口部と長尺体２の外周の間に生じている隙間に詰め込む際に、熱膨張性充填材５を詰め込みすぎて、遮蔽板４の反対側の開口部から熱膨張性充填材５が誤って落下することを防止することができる。
【００４１】
防火区画体１に上記のような防火措置構造（図３参照）を設けることにより、防火区画体１に面した一方の領域で火災が発生した場合に、長尺体２が火炎により燃焼や溶融して、遮蔽板４の開口部と長尺体２の間に隙間が生じても、熱膨張性充填材５が火災による熱により膨張してその隙間を塞ぐことができる。よって、防火区画体１に面した一方の領域で発生した火災によって発生した火炎が、防火区画体１に面した他方の領域に拡散して延焼することを防止することができる。
【００４２】
第３の実施の形態に係る防火措置構造（図７参照）によれば、熱膨張性充填材５を、遮蔽板４の開口部と長尺体２の外周の間に生じている隙間に詰め込む際に、遮蔽板４ｃがストッパとして機能するため、熱膨張性充填材５が誤って落下してしまうことを防止することができる。よって、より安定した形で熱膨張性充填材５を、遮蔽板４の開口部と長尺体２の外周の間に生じている隙間に固定することが可能となるため、施工が容易でより安定した防火措置構造を提供することができる。
【００４３】
なお、第３の実施の形態では、ストッパとしての機能を有する遮蔽板４ｃを遮蔽板４に重ね合わせることにより防火措置構造を構成する場合について説明したが、これに限定されず、遮蔽板４及び４ｃが重ね合わされた形状を一体成形することにより遮蔽板を形成して使用することもできる。
【００４４】
本発明の第３の実施の形態（図７）による防火措置構造は、図８のようにして用いることもできる。すなわち、図７の防火措置構造において、長尺体２の他に、防火区画体１の区画貫通部３及び遮蔽板４及び４ｃの開口部を貫通する複数本又は単数本からなる長尺体２ａを更に設置することもできる。長尺体２、長尺体２ａ、遮蔽板４の間に生じる隙間は、熱膨張性充填材５が充填されることにより閉塞される。
【００４５】
また、本発明の第３の実施の形態（図７）による防火措置構造は、図９のようにして用いることもできる。すなわち、図７の防火措置構造において、遮蔽板４に開口幅がＤ２の開口部とは別に開口幅がＤ２ａの開口部と、遮蔽板４ｃに開口幅がＤ４の開口部とは別に、開口幅がＤ４ａの開口部を設けて、複数本又は単数本からなる積重ね高さがＤ３ａの長尺体２ａを貫通させることもできる。長尺体２ａと遮蔽板４の間に生じる隙間は、熱膨張性充填材５が充填されることにより閉塞される。
【００４６】
以上、本発明の実施の形態について図面を参照して説明したが、具体的な構成についてはこれらの実施の形態に限定されるものではなく、本発明の要旨を逸脱しない範囲の設計変更等が可能である。
【産業上の利用可能性】
【００４７】
本発明は、防火性の向上を図るとともに、施工性及び経済性にも優れた防火措置構造に関する。
【図面の簡単な説明】
【００４８】
【図１】本発明の第１の実施の形態に係る防火措置構造を示す断面図の一例である。
【図２】本発明の第１の実施の形態に係る防火措置構造の別の形態を示す断面図の一例である。
【図３】本発明の第１の実施の形態に係る防火措置構造の更に別の形態を示す断面図の一例である。
【図４】本発明の第２の実施の形態に係る防火措置構造を示す断面図の一例である。
【図５】本発明の第２の実施の形態に係る防火措置構造の別の形態を示す断面図の一例である。
【図６】本発明の第２の実施の形態に係る防火措置構造の更に別の形態を示す断面図の一例である。
【図７】本発明の第３の実施の形態に係る防火措置構造を示す断面図の一例である。
【図８】本発明の第３の実施の形態に係る防火措置構造の別の形態を示す断面図の一例である。
【図９】本発明の第３の実施の形態に係る防火措置構造の更に別の形態を示す断面図の一例である。
【図１０】従来の防火措置構造を示す断面図である。
【符号の説明】
【００４９】
１・・・防火区画体。
２、２ａ・・・長尺体。
３・・・区画貫通部。
４、４ａ〜４ｅ・・・遮蔽板。
５・・・熱膨張性充填材。
Ｄ１、Ｄ２、Ｄ２ａ、Ｄ４、Ｄ４ａ・・・開口幅。
Ｄ３、Ｄ３ａ・・・長尺体の積重ね高さ。
【図１】
2005320724.tif 000003
【図２】
2005320724.tif 000004
【図３】
2005320724.tif 000005
【図４】
2005320724.tif 000006
【図５】
2005320724.tif 000007
【図６】
2005320724.tif 000008
【図７】
2005320724.tif 000009
【図８】
2005320724.tif 000010
【図９】
2005320724.tif 000011
【図１０】
2005320724.tif 000012